(57)【特許請求の範囲】
【請求項１】
透液性表面シートに覆われた吸液性コアと、前胴周り域および後胴周り域とそれら胴周り域の間に位置する股下域とを有する不透液性ベースシートとから構成され、前記股下域の両側を横方向内方へ向かって凹欠する一対の脚周り対向側部に伸縮性の脚周り弾性部材が伸長状態で取り付けられ、前記脚周り弾性部材が、前記対向側部の前端近傍から前後方向後方へ向かって実質的に弧を画く第１弾性部材と、前記対向側部の後端近傍から前後方向前方へ向かって実質的に弧を画く第２弾性部材と、前記対向側部に配置されて前記第１および第２弾性部材の間を前後方向へ延びる第３弾性部材とから形成された使い捨て着用物品において、
前記吸液性コアが前記ベースシートの前記股下域内に配置され、
前記第１弾性部材が、前記対向側部の前端近傍に延びる第１両側部分と、前記コアの前端部を横切る第１中央部分とを有し、前記第２弾性部材が、前記対向側部の後端近傍に延びる第２両側部分と、前記第１中央部分から前後方向後方へ所与寸法離間して前記コアの後端部を横切る第２中央部分とを有し、前記第３弾性部材が、前記対向側部に沿って横方向内方へ向かって弧を画き、前記第１両側部分と前記第１中央部分との分岐部近傍から該第１両側部分に合流して延びる第１連結部分と、前記第２両側部分と前記第２中央部分との分岐部近傍から該第２両側部分に合流して延びる第２連結部分とを有することを特徴とする前記物品。
【請求項２】
前記物品では、前記第１および第２両側部分と前記第１および第２連結部分とが相互に延びる領域の伸長応力が、前記領域を除く前記第１〜第３弾性部材が延びる残余領域のそれよりも高い請求項１記載の物品。
【発明の詳細な説明】
【０００１】
【発明の属する技術分野】
本発明は、排泄物を吸収、保持する使い捨て着用物品に関する。
【０００２】
【従来の技術】
特開平８−２４２９１号公報は、透液性表面シートと不透液性裏面シートとの間に吸液性コアが介在し、前後方向に前胴周り域および後胴周り域とそれら胴周り域の間に位置する股下域とを備え、前後胴周り域の両側縁部が連結されて胴周り開口と一対の脚周り開口とが画成されたパンツ型の使い捨ておむつを開示している。
【０００３】
このおむつには、股下域の両側に横方向内方へ向かって凹欠する一対の脚周り対向側部が形成されている。対向側部は、脚周り開口の縁部を画成する。このおむつには、対向側部の前端から前後方向後方へ向かって弧を画く第１弾性部材が伸長状態で取り付けられ、対向側部の後端から前後方向前方へ向かって弧を画く第２弾性部材が伸長状態で取り付けられている。第１および第２弾性部材は、対向側部の前後端近傍に延びる両側部分と、前後方向へ離間して股下域を横切る中央部分とを有する。第１および第２弾性部材の間には、対向側部を前後方向へ延びる第３弾性部材が伸長状態で取り付けられている。第３弾性部材は、第１弾性部材の中央部分と第２弾性部材の中央部分とに交差している。
【０００４】
このおむつでは、それら弾性部材がひとつながりになって脚周り開口の縁部に延びるので、第１および第２弾性部材が股下域において前後方向へ離間していても、第１〜第３弾性部材によって着用者の脚部全周を締め付けることができ、股下域からの排泄物の漏れを防ぐことができる。
【０００５】
【発明が解決しようとする課題】
同号公報に開示のおむつでは、股下域において横方向へ離間する第３弾性部材が対向側部を前後方向へ直状に延びているので、おむつを着用したときに、第３弾性部材が着用者の脚部を取り巻くように、脚部の周り方向へ延びることはない。このおむつでは、第３弾性部材の伸長応力が脚部の周り方向へ作用することはないので、脚部の締め付けに第３弾性部材の伸長応力を十分に利用しているとはいえない。
【０００６】
また、前記対向側部では、前記両側部分と前記中央部分との分岐部近傍から前後端近傍へ至る領域が着用者の肌と離間し易く、そこを脚部に密着させることが必要であるが、このおむつでは、その手段を何等教示していない。
【０００７】
本発明の課題は、第３弾性部材の伸長応力を十分に利用して着用者の脚部を締め付け、対向側部の前記領域を脚部に密着させることができる使い捨て着用物品を提供することにある。
【０００８】
【課題を解決するための手段】
前記課題を解決するために、本発明が前提とするところは、透液性表面シートに覆われた吸液性コアと、前胴周り域および後胴周り域とそれら胴周り域の間に位置する股下域とを有する不透液性ベースシートとから構成され、前記股下域の両側を横方向内方へ向かって凹欠する一対の脚周り対向側部に伸縮性の脚周り弾性部材が伸長状態で取り付けられ、前記脚周り弾性部材が、前記対向側部の前端近傍から前後方向後方へ向かって実質的に弧を画く第１弾性部材と、前記対向側部の後端近傍から前後方向前方へ向かって実質的に弧を画く第２弾性部材と、前記対向側部に配置されて前記第１および第２弾性部材の間を前後方向へ延びる第３弾性部材とから形成された使い捨て着用物品である。
【０００９】
かかる前提において、本発明の特徴は、前記吸液性コアが前記ベースシートの前記股下域内に配置され、前記第１弾性部材が、前記対向側部の前端近傍に延びる第１両側部分と、前記コアの前端部を横切る第１中央部分とを有し、前記第２弾性部材が、前記対向側部の後端近傍に延びる第２両側部分と、前記第１中央部分から前後方向後方へ所与寸法離間して前記コアの後端部を横切る第２中央部分とを有し、前記第３弾性部材が、前記対向側部に沿って横方向内方へ向かって弧を画き、前記第１両側部分と前記第１中央部分との分岐部近傍から該第１両側部分に合流して延びる第１連結部分と、前記第２両側部分と前記第２中央部分との分岐部近傍から該第２両側部分に合流して延びる第２連結部分とを有するにある。
【００１０】
本発明の実施の態様の一例として、前記物品では、前記第１および第２両側部分と前記第１および第２連結部分とが相互に延びる領域の伸長応力が、前記領域を除く前記第１〜第３弾性部材が延びる残余領域のそれよりも高い。
【００１１】
【００１２】
【００１３】
【発明の実施の形態】
添付の図面を参照し、本発明にかかる使い捨て着用物品の詳細をパンツ型の使い捨ておむつと開放型の使い捨ておむつとを例として説明すると、以下のとおりである。
【００１４】
図１，２は、パンツ型に成形する以前の状態で示すおむつ１Ａの部分破断平面図と、図１の状態からパンツ型に成形したおむつ１Ａの部分破断斜視図とであり、図３，４は、図１のＡ−Ａ線端面図と、パネルＰの中間部Ｐ２を省略して示す図１のＢ−Ｂ線端面図とである。図１では、横方向を矢印Ｘで示し、前後方向を矢印Ｙで示す。図２では、胴周り方向を矢印Ｘで示し、脚周り方向を矢印Ｙで示す。なお、表裏面シート２，３や防漏シート５における内面とは、コア４に対向する面をいい、それらシート２，３，５の外面とは、コア４に非対向の面をいう。
【００１５】
おむつ１Ａは、吸液性パネルＰと、疎水性繊維不織布３ａにプラスチックフィルム３ｂを固着した複合シートからなる不透液性ベースシート３とを主要な構成部材とする。
【００１６】
おむつ１Ａは、前後方向に前胴周り域３０および後胴周り域３２と、それら胴周り域３０，３２に位置する股下域３１とを有する。おむつ１Ａは、前後胴周り域３０，３２を横方向へ延びる両端部６と、前後胴周り域３０，３２を前後方向へ延びる両側部７，８とを有する。おむつ１Ａでは、砂時計型を呈する裏面シート３が前後胴周り域３０，３２と股下域３１とを画成し、パネルＰが股下域３１における裏面シート３の内面に取り付けられて前後方向へ延びている。
【００１７】
パネルＰは、透液性表面シート２と、不透液性防漏シート５と、表面シート２と防漏シート５との間に介在し、それらシート２，５に接合された吸液性コア４とから形成されている。
【００１８】
パネルＰは、ベースシート３よりも小さい砂時計型を呈し、前部Ｐ１および後部Ｐ３と前後部Ｐ１，Ｐ３の間に位置する中間部Ｐ２とを有し、股下域３１の範囲内に位置している。パネルＰでは、前後方向へ延びる両側縁部９がおむつ１Ａの横方向内方へ向かって弧を画いている。パネルＰは、防漏シート５を介してベースシート３の不織布３ａに固着されている。
【００１９】
表面シート２と防漏シート５とは、その周縁部がコア４の周縁から周方向外方へわずかに延び、それらシート２，５の周縁部が互いに重なり合った状態で固着されている。
【００２０】
股下域３１の両側には、横方向内方へ向かって凹欠する一対の脚周り対向側部１０が形成されている。股下域３１には、弾性的な伸縮性を有する複数条の第１および第２弾性部材１１，１２と第３弾性部材１３とが伸長状態で取り付けられている。前後胴周り域３０，３２には、弾性的な伸縮性を有する複数条の胴周り用弾性部材１４と補助弾性部材１５とが伸長状態で取り付けられている。
【００２１】
第１弾性部材１１は、前胴周り域３０の側に位置する対向側部１０の前端１０ａから前後方向後方へ向かって実質的に弧を画いて延びている。第１弾性部材１１は、対向側部１０の前端１０ａ近傍を対向側部１０に沿って延びる両側部分１１ａと、パネルＰの前部Ｐ１（コアの前端部）を横切る中央部分１１ｂとを有する。
【００２２】
第２弾性部材１２は、後胴周り域３２の側に位置する対向側部１０の後端１０ｂから前後方向前方へ向かって実質的に弧を画いて延びている。第２弾性部材１１は、対向側部１０の後端１０ｂ近傍を対向側部１０に沿って延びる両側部分１２ａと、第１弾性部材１１の中央部分１１ｂから前後方向後方へ所与寸法離間してパネルＰの後部Ｐ３（コアの後端部）を横切る中央部分１２ｂとを有する。
【００２３】
胴周り用弾性部材１４は、両端部６を横方向へ延びている。補助弾性部材１５は、第１および第２弾性部材１１，１２と胴周り用弾性部材１４との間を横方向へ延びている。それら弾性部材１１，１２，１３，１４，１５は、裏面シート３を形成する不織布３ａとプラスチックフィルム３ｂとの間に介在し、それらに固着されている。
【００２４】
第３弾性部材１３は、パネルＰの両側縁部１０に取り付けられて前後方向へ延び、おむつ１Ａの横方向内方へ向かって弧を画いている。第３弾性部材１３は、パネルＰの前部Ｐ１に延びる連結部分１３ａと、パネルＰの後部Ｐ３に延びる連結部分１３ｂとを有する。第３弾性部材１３は、表面シート２と防漏シート５との間に介在し、それらシート２，５の内面に固着されている。
【００２５】
連結部分１３ａは、第１弾性部材１１の両側部分１１ａと中央部分１１ｂとの分岐部１６から両側部分１１ａに重なり、両側部分１１ａとともに対向側部１０の前端１０ａへ向かって延びている。連結部分１３ｂは、第２弾性部材１２の両側部分１２ａと中央部分１２ｂとの分岐部１７から両側部分１２ａに重なり、両側部分１２ａとともに対向側部１０の後端１０ｂへ向かって延びている。
【００２６】
おむつ１Ａでは、それら連結部分１３ａ，１３ｂが両側部分１１ａ，１２ａに重なることで、第１および第２弾性部材１１，１２と第３弾性部材１３とが対向側部１０において実質的に合流する。おむつ１Ａには、対向側部１０にそれら弾性部材１１，１２，１３が相互に延びる領域１８，１９が形成されている。
【００２７】
おむつ１Ａは、図２に示すように、前後胴周り域３０，３２に延びる両側部７，８が間欠的に並ぶ接合部２０を介して固着され、パンツ型に成形される。パンツ型に成形されたおむつ１Ａには、胴周り開口２１と一対の脚周り開口２２とが画成されている。おむつ１Ａでは、両端部６が胴周り開口２１の縁部を形成し、対向側部１０が脚周り開口２２の縁部を形成する。
【００２８】
第１および第２弾性部材１１，１２の両側部分１１ａ，１２ａと第３弾性部材１３とは、脚周り開口２１の縁部を脚周り方向へ延びている。胴周り用弾性部材１４は、胴周り開口２１の縁部を胴周り方向へ延びている。補助弾性部材１５は、前後胴周り域３０，３２を胴周り方向へ延びている。おむつ１Ａでは、それら弾性部材１１，１２，１３，１４，１５が収縮し、それら開口２１，２２の縁部と前後胴周り域３０，３２とに多数のギャザーが形成されている。
【００２９】
おむつ１Ａでは、領域１７，１８において両側部分１１ａ，１２ａと連結部分１３ａ，１３ｂとが相互に延びているので、領域１７，１８の伸長応力が第１〜第３弾性部材１１，１２，１３が延びる残余領域のそれよりも高い。おむつ１Ａでは、領域１７，１８が着用者の脚部を強く締め付け、対向側部１０を領域１７，１８において脚部に密着させることができる。
【００３０】
図５，６は、開放型のおむつ１Ｂの部分破断平面図と、前後胴周り域３０，３２を連結した着用状態で示すおむつ１Ｂの部分破断斜視図とであり、図７，８は、図５のＣ−Ｃ線端面図と、コア４の中間部４ｂを省略して示す図５のＤ−Ｄ線端面図とである。図５では、横方向を矢印Ｘで示し、前後方向を矢印Ｙで示す。図６では、胴周り方向を矢印Ｘで示し、脚周り方向を矢印Ｙで示す。
【００３１】
おむつ１Ｂは、透液性表面シート２と、疎水性繊維不織布３ａにプラスチックフィルム３ｂを固着した不透液性ベースシート３と、全体がティッシュペーパー（図示せず）に被覆、接合された吸液性コア４とを主要な構成部材とする。
【００３２】
コア４は、股下域３１に配置されて前後方向へ延び、前部４ａおよび後部４ｃと前後部４ａ，４ｃの間に位置する中間部４ｂとを有する。コア４は、表面シート２とベースシート３との間に介在し、ティッシュペーパーを介してそれらシート２，３の内面に接合されている。
【００３３】
股下域３１の両側には、横方向内方へ向かって凹欠する一対の脚周り対向側部１０が形成されている。股下域３１には、対向側部１０の前端１０ａから前後方向後方へ向かって実質的に弧を画く第１弾性部材１１と、対向側部１０の後端１０ｂから前後方向前方へ向かって実質的に弧を画く第２弾性部材１２とが伸長状態で取り付けられている。股下域３１には、第１および第２弾性部材１１，１２の間を前後方向へ延びる第３弾性部材１３が伸長状態で取り付けられている。
【００３４】
第１および第２弾性部材１１，１２は、対向側部１０の前後端１０ａ，１０ｂ近傍を対向側部１０に沿って延びる両側部分１１ａ，１２ａと、前後方向へ互いに所与寸法離間してコア４の前後部４ａ，４ｃを横切る中央部分１１ｂ，１２ｂとを有する。
【００３５】
第３弾性部材１３は、対向側部１０に沿っておむつ１Ｂの横方向内方へ向かって弧を画いている。第３弾性部材１３は、第１弾性部材１１の両側部分１１ａと中央部分１１ｂとの分岐部１６から両側部分１１ａに合流する連結部分１３ａと、第２弾性部材１２の両側部分１２ａと中央部分１２ｂとの分岐部１７から両側部分１２ａに合流する連結部分１３ｂとを有する。連結部分１３ａは、両側部分１１ａとともに対向側部１０の前端１０ａまで延びている。連結部分１３ｂは、両側部分１２ａとともに対向側部１０の後端１０ｂまで延びている。
【００３６】
後胴周り域３２の端部６には、帯状の胴周り用弾性部材１４が伸長状態で取り付けられている。それら弾性部材１１，１２，１３，１４は、不織布３ａとプラスチックフィルム３ｂとの間に介在し、それらに固着されている。
【００３７】
後胴周り域３２の両側部８には、横方向内方へ延びるテープファスナ２３が取り付けられている。テープファスナ２３は、その基端部が不織布３ａとプラスチックフィルム３ｂとの間に介在し、それらに固着されている。テープファスナ２３の自由端部には、粘着剤（図示せず）が塗布されている。
【００３８】
前胴周り域３０における裏面シート３の外面には、プラスチックシートからなる矩形のターゲットテープ２４が取り付けられている。ターゲットテープ２４は、テープファスナ２３に対する止着域となる。
【００３９】
このおむつ１Ｂを着用するには、後胴周り域３２の両側部８を前胴周り域３０の両側部７の外側に重ね合わせ、粘着剤を介してテープファスナ２３の自由端部をターゲットテープ２４に止着し、前胴周り域３０と後胴周り域３２とを連結する。前後胴周り域３０，３２が連結されたおむつ１Ｂには、図５に示すように、胴周り開口２１と一対の脚周り開口２２とが画成されている。
【００４０】
おむつ１Ｂの対向側部１０には、両側部分１１ａ，１２ａと連結部分１３ａ，１３ｂとが相互に延びる領域１８，１９が形成されている。おむつ１Ｂでは、領域１８，１９の伸長応力が前記第１〜第３弾性部材１１，１２，１３が延びる残余領域のそれよりも高く、対向側部１０を領域１８，１９において着用者の脚部に密着させることができる。
【００４１】
それら図示例のおむつ１Ａ，１Ｂでは、第３弾性部材１３が対向側部１０に沿っておむつ１Ａ，１Ｂの横方向内方へ弧を画いて延びているので、第３弾性部材１３が着用者の脚部を取り巻くように、脚部の周り方向へ延びる。おむつ１Ａ，１Ｂでは、第３弾性部材１３の伸長応力が脚部の周り方向へ作用し、第３弾性部材１３の伸長応力を十分に利用して脚部を締め付けることができる。
【００４２】
それらおむつ１Ａ，１Ｂでは、第１および第２弾性部材１１，１２と第３弾性部材１３とがひとつながりになって着用者の脚部を囲繞し、それら弾性部材１１，１２，１３が着用者の脚部全周を締め付けるので、第１および第２弾性部材１１，１２が股下域３１において前後方向へ離間していても、股下域３１からの排泄物の漏れを防ぐことができる。
【００４３】
また、おむつ１Ａ，１Ｂでは、第１および第２弾性部材１１，１２の中央部分１１ｂ，１２ｂが収縮し、その収縮によってパネルＰの前後部Ｐ１，Ｐ３またはコア４の前後部４ａ，４ｃが着用者の肌に押し付けられるので、それらの前後部Ｐ１，Ｐ３，４ａ，４ｂを着用者の肌に密着させることができる。
【００４４】
表面シート２には、親水性繊維不織布、または、開孔プラスチックフィルムを使用することができる。裏面シート３には、疎水性繊維不織布３ａにプラスチックフィルム３ｂを固着した複合シートの他に、疎水性繊維不織布、不透液性のプラスチックフィルム、疎水性繊維不織布を重ね合わせた２層の不織布、のいずれかを使用することができる。防漏シート５には、疎水性繊維不織布、または、不透液性のプラスチックフィルムを使用することができる。
【００４５】
ベースシート３と防漏シート５とには、高い耐水性を有するメルトブローン法による不織布を、高い強度を有しかつ柔軟性に富んだスパンボンド法による不織布で挟んだ複合不織布を使用することもできる。
【００４６】
不織布としては、スパンレース、ニードルパンチ、メルトブローン、サーマルボンド、スパンポンド、ケミカルボンド、エアースルー、の各製法により製造されたものを使用することができる。不織布の構成繊維としては、ポリオレフィン系、ポリエステル系、ポリアミド系、の各繊維、ポリエチレン／ポリプロピレンまたはポリエチレン／ポリエステルからなる芯鞘型複合繊維またはサイドバイサイド型複合繊維を使用することができる。
【００４７】
コア４は、粉砕パルプと高吸収性ポリマー粒子との混合物、または、粉砕パルプと高吸収性ポリマー粒子と熱可塑性合成樹脂繊維との混合物であり、所要の厚みに圧縮されている。ポリマー粒子としては、デンプン系、セルロース系、合成ポリマー系のものを使用することができる。第１および第２弾性部材１１，１２や第３弾性部材１３、胴周り用弾性部材１４、補助弾性部材１５には、合成ゴムや天然ゴム等のエラストマーを使用することができる。
【００４８】
シート２，３，５の固着、コア４の接合、弾性部材１１，１２，１３，１４，１５の取り付けには、ホットメルト系接着剤、または、ヒートシールやソニックシール等の熱による溶着手段を使用することができる。
【００４９】
この発明は、使い捨ておむつ１Ａ，１Ｂの他に、幼児のおむつ離れを促進するためのトレーニングパンツ、内面に吸液性パッドを着脱可能に装着するおむつカバーにも実施することができる。
【００５０】
【発明の効果】
本発明にかかる使い捨て着用物品によれば、第３弾性部材が対向側部に沿って物品の横方向内方へ弧を画いて延びているので、物品を着用したときに、第３弾性部材が着用者の脚部を取り巻くように脚部の周り方向へ延びる。物品では、第３弾性部材の伸長応力が脚部の周り方向へ作用し、第３弾性部材の伸長応力を十分に利用して脚部を締め付け、対向側部を着用者の脚周りに密着させることができる。
【００５１】
物品では、第１および第２弾性部材の両側部分に第３弾性部材の連結部分が合流し、それら弾性部材が相互に延びる領域の伸長応力が、それら弾性部材が延びる残余領域のそれよりも高いので、領域において着用者の脚部を強く締め付けることができる。物品では、第１および第２弾性部材の両側部分と中央部分との分岐部近傍から対向側部の前後端近傍へ至る領域において、対向側部を着用者の脚部に密着させることができる。
【図面の簡単な説明】
【図１】  パンツ型に成形する以前の状態で示すおむつの部分破断平面図。
【図２】  図１の状態からパンツ型に成形したおむつの部分破断斜視図。
【図３】  図１のＡ−Ａ線断面図。
【図４】  パネルの中間部を省略して示す図１のＢ−Ｂ線端面図。
【図５】  開放型のおむつの部分破断平面図。
【図６】  前後胴周り域を連結した着用状態で示すおむつの部分破断斜視図。
【図７】  図５のＣ−Ｃ線端面図。
【図８】  コアの中間部を省略して示す図５のＤ−Ｄ線端面図。
【符号の説明】
１Ａ          パンツ型の使い捨ておむつ（使い捨て着用物品）
１Ｂ          開放型の使い捨ておむつ（使い捨て着用物品）
２            透液性表面シート
３            不透液性ベースシート
４            吸液性コア
５            不透液性防漏シート
９            両側縁部
１０            対向側部
１０ａ          前端
１０ｂ          後端
１１            第１弾性部材
１１ａ          両側部分（第１両側部分）
１１ｂ          中央部分（第１中央部分）
１２            第２弾性部材
１２ａ          両側部分（第２両側部分）
１２ｂ          中央部分（第２中央部分）
１３            第３弾性部材
１３ａ          連結部分（第１連結部分）
１３ｂ          連結部分（第２連結部分）
１６            分岐部
１７            分岐部
１８            領域
１９            領域
３０            前胴周り域
３１            股下域
３２            後胴周り域
Ｐ            吸液性パネル
【図１】
0003820100.tif 000002
【図２】
0003820100.tif 000003
【図３】
0003820100.tif 000004
【図４】
0003820100.tif 000005
【図５】
0003820100.tif 000006
【図６】
0003820100.tif 000007
【図７】
0003820100.tif 000008
【図８】
0003820100.tif 000009